(57)【要約】    【構成】携帯電話機１０は、受信したメールが通常メールか秘匿メールかを判断するためのアドレス帳データ（３３４）を有する。また、受信したメールが秘匿メールとして保存されると、その秘匿メールの添付ファイルは隠し属性が設定された後に、ファイルフォルダに保存される。また、受信したメールが通常メールとして保存されると、その通常メールの添付ファイルもファイルフォルダに保存される。そして、通常メールを受信した場合に限り、使用者に受信が通知される。    【効果】秘匿メールおよび添付されたファイルの秘匿性は、主なファイル・システムが備える隠し属性を利用して実現されるため、使用者が携帯電話機１０にインストールするアプリケーション群を任意に構成しても、その携帯電話機１０で秘匿メールを利用することができる。【選択図】図１
2012226417.tif 000002
【特許請求の範囲】
【請求項１】
ファイルが添付されたメールを受信する、通信端末であって、
秘匿用のメールアドレスを記憶する記憶部、
メールの発信元のメールアドレスと前記秘匿用のメールアドレスとが一致するかを判断する判断部、
前記判断部によって一致すると判断されたとき、受信したメールを秘匿メールとして保存する秘匿メール保存部、
前記秘匿メール保存部によって秘匿メールが保存されたとき、その秘匿メールに添付された第１ファイルに隠し属性を設定する設定部、
前記設定部によって隠し属性が設定された第１ファイルを、秘匿メールとは別の領域に保存する第１ファイル保存部、
前記判断部によって一致しないと判断されたとき、受信したメールを通常メールとして保存する通常メール保存部、
前記通常メール保存部によって通常メールが保存されたとき、その通常メールに添付された第２ファイルを前記第１ファイルと同じ領域に保存する第２ファイル保存部、および
前記第２ファイル保存部によってファイルが保存された後、メールを受信したことを通知する受信通知部を備える、通信端末。
【請求項２】
受信したメールを表示する際に、秘匿メールを表示する表示操作が行われたかを判断する表示判断部、
前記表示判断部によって表示操作が行われたと判断されたとき、前記秘匿メール保存部によって保存された秘匿メールを表示する秘匿メール表示部、
前記秘匿メール表示部によって秘匿メールが表示されるとき、その秘匿メールに添付されていた第１ファイルの隠し属性を解除する解除部、および
前記表示判断部によって表示操作が行われていないと判断されたとき、前記通常メール保存部によって保存された通常メールを表示する通常メール表示部をさらに備える、請求項１記載の通信端末。
【請求項３】
複数のファイルを含むフォルダデータ、
前記フォルダデータに隠し属性が設定された第１ファイルが含まれているとき、その第１ファイル以外のファイルを表示する第１ファイル表示部、および
前記フォルダデータに隠し属性が設定されたファイルが含まれていないとき、全てのファイルを表示する第２ファイル表示部をさらに備える、請求項１または２記載の通信端末。
【請求項４】
ファイルが添付されたメールを受信し、秘匿用のメールアドレスを記憶する、通信端末のプロセッサを、
メールの発信元のメールアドレスと前記秘匿用のメールアドレスとが一致するかを判断する判断部、
前記判断部によって一致すると判断されたとき、受信したメールを秘匿メールとして保存する秘匿メール保存部、
前記秘匿メール保存部によって秘匿メールが保存されたとき、その秘匿メールに添付された第１ファイルに隠し属性を設定する設定部、
前記設定部によって隠し属性が設定された第１ファイルを、秘匿メールとは別の領域に保存する第１ファイル保存部、
前記判断部によって一致しないと判断されたとき、受信したメールを通常メールとして保存する通常メール保存部、
前記通常メール保存部によって通常メールが保存されたとき、その通常メールに添付された第２ファイルを前記第１ファイルと同じ領域に保存する第２ファイル保存部、および
前記第２ファイル保存部によってファイルが保存された後、メールを受信したことを通知する受信通知部として機能させる、メール受信プログラム。
【請求項５】
ファイルが添付されたメールを受信し、秘匿用のメールアドレスを記憶する、通信端末のメール受信方法であって、
メールの発信元のメールアドレスと前記秘匿用のメールアドレスとが一致するかを判断し、
一致すると判断されたとき、受信したメールを秘匿メールとして保存し、
秘匿メールが保存されたとき、その秘匿メールに添付された第１ファイルに隠し属性を設定し、
隠し属性が設定された第１ファイルを、秘匿メールとは別の領域に保存し、
一致しないと判断されたとき、受信したメールを通常メールとして保存し、
通常メールが保存されたとき、その通常メールに添付された第２ファイルを前記第１ファイルと同じ領域に保存し、そして
隠し属性が設定されていないファイルが保存された後、メールを受信したことを通知する、メール受信方法。
【発明の詳細な説明】
【技術分野】
【０００１】
この発明は、通信端末、メール受信プログラムおよびメール受信方法に関し、特にファイルが添付されたメールを受信することができる、通信端末、メール受信プログラムおよびメール受信方法に関する。
【背景技術】
【０００２】
ファイルが添付されたメールを受信することができる通信端末の一例が特許文献１に開示されている。特許文献１の携帯電話は、シークレットメールを受信した場合、ファイルが添付されていれば、そのファイルをシークレットデータ格納領域に格納し、シークレットメールとファイルのアドレスとをシークレットメール格納領域に格納する。これにより、メールを受信した形跡はないにも関わらず、ファイルだけが突然増えるといった、不自然な状態になることが防がれている。
【特許文献１】特開２００５−１０７８３５号公報［G06F 13/00, H04Q 7/38］
【発明の概要】
【発明が解決しようとする課題】
【０００３】
特許文献１の携帯電話のようにシークレットデータ格納領域とシークレットメール格納領域とを利用するためには、メールの送受信を管理するアプリケーション（以下、メーラと言う。）と、ファイル・システム上のファイルを表示・操作（削除、移動など）するためのアプリケーション（以下、ファイルマネージャと言う。）とに、２つの格納領域を利用するための特殊な規約を設定し、連携させる必要がある。
【０００４】
ところが、このような設定は、従来の固定アプリケーション組み込み型の携帯電話機であれば容易に行うことができるが、アプリケーションダウンロード型の携帯電話機では、容易に行うことができない。具体的には、アプリケーションダウンロード型の携帯電話機では、各メーラとファイルマネージャとが別々に開発されるため、特許文献１のようにシークレットメールを受信するためには、メーラとファイルマネージャとを組み合わせる選択肢を大きく制約しなければならない。また、メーラとファイルマネージャとが誤って組み合わせられてしまうと、ファイルマネージャでファイルを表示・操作できなくなるなどの致命的な障害が発生することも考えられる。
【０００５】
また、携帯電話機では、添付ファイルの種類（静止画像、動画像、音楽）毎にサブフォルダを設け、添付ファイルの種類に応じて各サブフォルダに振り分けて格納するのが一般的である。そのため、特許文献１の携帯電話のように通常データ格納領域とシークレットデータ格納領域とが存在する場合、添付ファイルの種類に応じて各サブフォルダを設けて、添付ファイルを振り分けることになる。そして、上記のように振り分けて格納する場合、ファイルマネージャは、領域毎に件数などの情報を保持しつつ、通常データ格納領域とシークレットデータ格納領域との間で件数などの情報を連携して管理しなければならない。そのため、特許文献１の携帯電話では、ファイルマネージャの処理が複雑になってしまう。
【０００６】
それゆえに、この発明の主たる目的は、新規な、通信端末、メール受信プログラムおよびメール受信方法を提供することである。
【０００７】
この発明の他の目的は、利用する端末に制約されることなく、秘匿メールを利用することができる、通信端末、メール受信プログラムおよびメール受信方法を提供することである。
【課題を解決するための手段】
【０００８】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【０００９】
第１の発明は、ファイルが添付されたメールを受信する、通信端末であって、秘匿用のメールアドレスを記憶する記憶部、メールの発信元のメールアドレスと秘匿用のメールアドレスとが一致するかを判断する判断部、判断部によって一致すると判断されたとき、受信したメールを秘匿メールとして保存する秘匿メール保存部、秘匿メール保存部によって秘匿メールが保存されたとき、その秘匿メールに添付された第１ファイルに隠し属性を設定する設定部、設定部によって隠し属性が設定された第１ファイルを、秘匿メールとは別の領域に保存する第１ファイル保存部、判断部によって一致しないと判断されたとき、受信したメールを通常メールとして保存する通常メール保存部、通常メール保存部によって通常メールが保存されたとき、その通常メールに添付された第２ファイルを第１ファイルと同じ領域に保存する第２ファイル保存部、および第２ファイル保存部によってファイルが保存された後、メールを受信したことを通知する受信通知部を備える、通信端末である。
【００１０】
第１の発明では、通信端末（１０：実施例において対応する部分を例示する参照符号。以下、同じ。）は、ファイルが添付されたメールを受信する。記憶部（３４）には、秘匿用のメールアドレスを含む秘匿アドレスデータが記憶される。判断部（２４，Ｓ３）は、受信したメールの発信元のメールアドレスが、上記秘匿アドレスデータに含まれるメールアドレスと一致するかを判断する。秘匿メール保存部（２４，Ｓ５）は、発信元のメールアドレスが秘匿用のメールアドレスと一致するメールを、秘匿メールとして秘匿エールフォルダに保存する。設定部（２４，Ｓ９）は、受信したメールが秘匿メールとして保存されると、添付された第１ファイルのメタデータにおいて、隠し属性の設定を示すフラグをオンに設定する。第１ファイル保存部（２４，Ｓ１１）は、上記したように隠し属性が設定された第１ファイルを、ファイルフォルダに保存する。
【００１１】
また、通常メール保存部（２４，Ｓ１５）は、発信元のメールアドレスが秘匿用のメールアドレスと一致しないメールを、通常メールとして通常メールフォルダに保存する。第２ファイル保存部（２４，Ｓ１９）は、通常メールが保存されると、その通常メールに添付された第２ファイルを、第１ファイルも保存されるファイルフォルダに保存する。そして、受信通知部（２４，Ｓ２３）は、通常メールに添付された第２ファイルが保存されると、メールを受信したことを通知するアイコンなどをディスプレイ（３０）に表示したりする。
【００１２】
第１の発明によれば、秘匿メールおよび添付されたファイルの秘匿性は、主なファイル・システムが備える隠し属性を利用することで実現することができる。つまり、任意にアプリケーションを追加することができるオープンプラットフォームの通信端末において、アプリケーションの組み合わせが制約されなくなる。そのため、使用者が通信端末にインストールするアプリケーション群を任意に構成しても、その通信端末で秘匿メールを利用することができる。
【００１３】
また、主なファイル・システムが備える隠し属性を利用しているだけなので、添付されたファイルを保存した後に特別な管理をする必要が無い。そのため、ファイルマネージャの処理を単純にすることができる。
【００１４】
第２の発明は、第１の発明に従属し、受信したメールを表示する際に、秘匿メールを表示する表示操作が行われたかを判断する表示判断部、表示判断部によって表示操作が行われたと判断されたとき、秘匿メール保存部によって保存された秘匿メールを表示する秘匿メール表示部、秘匿メール表示部によって秘匿メールが表示されるとき、その秘匿メールに添付されていた第１ファイルの隠し属性を解除する解除部、および表示判断部によって表示操作が行われていないと判断されたとき、通常メール保存部によって保存された通常メールを表示する通常メール表示部をさらに備える。
【００１５】
第２の発明では、表示判断部（２４，Ｓ４１）は、たとえば秘匿メールを表示するために、メーラを実行するためのアプリケーションキーが長押しされたか否かを判断する。また、そのキーが長押しされると、秘匿メール表示部（２４，Ｓ４３−Ｓ４７）は、たとえば使用者の操作によって選ばれた秘匿メールの内容を表示する。解除部（２４，Ｓ５７）は、未読状態の秘匿メールの内容が表示され、かつその秘匿メールに添付された第１ファイルの内容を表示させる操作がされると、その秘匿メールに添付されていた第１ファイルの隠し属性を解除する。通常メール表示部（２４，Ｓ６１−Ｓ６５）は、たとえばメーラを実行するためのアプリケーションキーが短押しされると、使用者によって選択された通常メールの内容を表示する。
【００１６】
第２の発明によれば、秘匿メールの確認に合わせて、添付されたファイルの隠し属性を任意に解除することができるため、使用者の利便性を向上させることができる。
【００１７】
第３の発明は、第１の発明または第２の発明に従属し、複数のファイルを含むフォルダデータ、フォルダデータに隠し属性が設定された第１ファイルが含まれているとき、その第１ファイル以外のファイルを表示する第１ファイル表示部、およびフォルダデータに隠し属性が設定されたファイルが含まれていないとき、全てのファイルを表示する第２ファイル表示部をさらに備える。
【００１８】
第３の発明では、フォルダデータ（３３６）には、メールに添付されたファイル以外にも、音楽ファイルや、画像ファイルなどが含まれる。たとえば隠し属性が設定された第１ファイルがファイルフォルダに含まれている場合、第１ファイル表示部（２４，Ｓ８３，Ｓ８７）は、その第１ファイル以外のファイルをディスプレイに一覧的に表示する。また、隠し属性が解除された第１ファイルがファイルフォルダに含まれている場合、第２ファイル表示部（２４，Ｓ８５，Ｓ８７）は、その第１ファイルも含めて全てのファイルを一覧的に表示する。
【００１９】
第３の発明によれば、第１ファイルの隠し属性が解除された場合、他のファイルと同じように、秘匿メールに添付されたファイルを表示させることができる。
【００２０】
第４の発明は、ファイルが添付されたメールを受信し、秘匿用のメールアドレスを記憶する、通信端末（１０）のプロセッサ（２４）を、メールの発信元のメールアドレスと秘匿用のメールアドレスとが一致するかを判断する判断部（Ｓ３）、判断部によって一致すると判断されたとき、受信したメールを秘匿メールとして保存する秘匿メール保存部（Ｓ５）、秘匿メール保存部によって秘匿メールが保存されたとき、その秘匿メールに添付された第１ファイルに隠し属性を設定する設定部（Ｓ９）、設定部によって隠し属性が設定された第１ファイルを、秘匿メールとは別の領域に保存する第１ファイル保存部（Ｓ１１）、判断部によって一致しないと判断されたとき、受信したメールを通常メールとして保存する通常メール保存部（Ｓ１５）、通常メール保存部によって通常メールが保存されたとき、その通常メールに添付された第２ファイルを第１ファイルと同じ領域に保存する第２ファイル保存部（Ｓ１９）、および第２ファイル保存部によってファイルが保存された後、メールを受信したことを通知する受信通知部（Ｓ２３）として機能させる、メール受信プログラムである。
【００２１】
第４の発明でも、第１の発明と同様、使用者が通信端末にインストールするアプリケーション群を任意に構成しても、その通信端末で秘匿メールを利用することができる。
【００２２】
第５の発明は、ファイルが添付されたメールを受信し、秘匿用のメールアドレスを記憶する、通信端末（１０）のメール受信方法であって、メールの発信元のメールアドレスと秘匿用のメールアドレスとが一致するかを判断し（Ｓ３）、一致すると判断されたとき、受信したメールを秘匿メールとして保存し（Ｓ５）、秘匿メールが保存されたとき、その秘匿メールに添付された第１ファイルに隠し属性を設定し（Ｓ９）、隠し属性が設定された第１ファイルを、秘匿メールとは別の領域に保存し（Ｓ１１）、一致しないと判断されたとき、受信したメールを通常メールとして保存し（Ｓ１５）、通常メールが保存されたとき、その通常メールに添付された第２ファイルを第１ファイルと同じ領域に保存し（Ｓ１９）、そして隠し属性が設定されていないファイルが保存された後、メールを受信したことを通知する（Ｓ２３）、メール受信方法である。
【００２３】
第５の発明でも、第１の発明と同様、使用者が通信端末にインストールするアプリケーション群を任意に構成しても、その通信端末で秘匿メールを利用することができる。
【発明の効果】
【００２４】
この発明によれば、秘匿メールおよび添付されたファイルの秘匿性は、主なファイル・システムが備える隠し属性を利用して実現されるため、使用者が通信端末にインストールするアプリケーション群を任意に構成しても、その通信端末で秘匿メールを利用することができる。
【００２５】
また、主なファイル・システムが備える隠し属性を利用することで、添付されたファイルを保存した後に特別な管理をする必要が無いため、ファイルマネージャの処理を単純にすることができる。
【００２６】
この発明の上述の目的、その他の目的、特徴および利点は、図面を参照して行う以下の実施例の詳細な説明から一層明らかとなろう。
【図面の簡単な説明】
【００２７】
【図１】図１はこの発明の一実施例の携帯電話機の電気的な構成を示す図解図である。
【図２】図２は図１に示すＲＡＭに、受信したメールを保存するときの流れの一例を示す図解図である。
【図３】図３は図２に示す添付ファイルの構成の一例を示す図解図である。
【図４】図４は図１に示すＲＡＭに記憶されるアドレス帳データの構成の一例を示す図解図である。
【図５】図５は図１に示すＲＡＭに、受信したメールを保存するときの流れの他の一例を示す図解図である。
【図６】図６は図１に示すＲＡＭに記憶される秘匿メール管理データの構成の一例を示す図解図である。
【図７】図７は図１に示すディスプレイに表示される待機画面の一例を示す図解図である。
【図８】図８は図１に示すディスプレイに表示される通常メールフォルダの内容の一例を示す図解図である。
【図９】図９は図１に示すディスプレイに表示される秘匿メールフォルダの内容の一例を示す図解図である。
【図１０】図１０は図１に示すディスプレイに表示される秘匿メールの一例を示す図解図である。
【図１１】図１１は図１に示すディスプレイに表示されるフォルダデータの内容の一例を示す図解図である。
【図１２】図１２は図１に示すＲＡＭのメモリマップの一例を示す図解図である。
【図１３】図１３は図１に示すメール保存処理の一例を示すフロー図である。
【図１４】図１４は図１に示すプロセッサのメール表示処理の一部を示すフロー図である。
【図１５】図１５は図１に示すプロセッサの一覧表示処理の一部を示すフロー図である。
【発明を実施するための形態】
【００２８】
図１を参照して、携帯電話機１０は、通信端末の一種であり、コンピュータまたはＣＰＵと呼ばれるプロセッサ２４を含む。また、プロセッサ２４は、無線通信回路１４、Ａ／Ｄ変換器１６、Ｄ／Ａ変換器２０、キー入力装置２６、表示ドライバ２８、フラッシュメモリ３２およびＲＡＭ３４などが接続される。また、無線通信回路１４にはアンテナ１２が接続される。Ａ／Ｄ変換器１６にはマイク１８が接続され、Ｄ／Ａ変換器２０にはスピーカ２２が接続される。表示ドライバ２８にはディスプレイ３０が接続される。
【００２９】
プロセッサ２４は、携帯電話機１０の全体制御を司る。ＲＡＭ３４は、記憶部として機能し、プロセッサ２４の作業領域（描画領域を含む）ないしバッファ領域として用いられる。フラッシュメモリ３２には、アプリケーションのデータなどが記録される。
【００３０】
Ａ／Ｄ変換器１６は、マイク１８を通して入力される音声ないし音についてのアナログ音声信号を、デジタル音声信号に変換する。Ｄ／Ａ変換器２０は、デジタル音声信号をアナログ音声信号に変換（復号）して、図示しないアンプを介してスピーカ２２に与える。したがって、アナログ音声信号に対応する音声ないし音がスピーカ２２から出力される。また、プロセッサ２４は、アンプの増幅率を制御することで、スピーカ２２から出力される音声の音量を調整することができる。
【００３１】
キー入力装置２６は操作部として機能し、通話キー、終話キー、テンキーおよびアプリケーションキーなどが含まれる。また、使用者が操作したキーの情報（キーデータ）はプロセッサ２４に入力される。
【００３２】
表示ドライバ２８は、プロセッサ２４の指示の下、当該表示ドライバ２８に接続されたディスプレイ３０の表示を制御する。また、表示ドライバ２８は表示する画像データを一時的に記憶するビデオメモリ（図示せず）を含む。
【００３３】
無線通信回路１４は、ＣＤＭＡ方式での無線通信を行うための回路である。たとえば、使用者がキー入力装置２６を用いて電話発信（発呼）を指示すると、無線通信回路１４は、プロセッサ２４の指示の下、電話発信処理を実行し、アンテナ１２を介して電話発信信号を出力する。電話発信信号は、基地局および通信網（図示せず）を経て相手の電話機に送信される。そして、相手の電話機において着信処理が行われると、通信可能状態が確立され、プロセッサ２４は通話処理を実行する。
【００３４】
通常の通話処理について具体的に説明すると、相手の電話機から送られてきた変調音声信号はアンテナ１２によって受信される。受信された変調音声信号には、無線通信回路１４によって復調処理および復号処理が施される。そして、これらの処理によって得られた受話音声信号は、Ｄ／Ａ変換器２０によってアナログ音声信号に変換された後、スピーカ２２から出力される。一方、マイク１８を通して取り込まれた送話音声信号は、Ａ／Ｄ変換器１６によってデジタル音声信号に変換された後、プロセッサ２４に与えられる。デジタル音声信号に変換された送話信号には、プロセッサ２４の指示の下、無線通信回路１４によって符号化処理および変調処理が施され、アンテナ１２を介して出力される。したがって、変調音声信号は、基地局および通信網を介して相手の電話機に送信される。
【００３５】
また、相手の電話機からの電話発信信号がアンテナ１２によって受信されると、無線通信回路１４は、電話着信（着呼）をプロセッサ２４に通知する。これに応じて、プロセッサ２４は、表示ドライバ２８を制御して、着信通知に記述された発信元情報（電話番号など）をディスプレイ３０に表示する。また、これとほぼ同時に、プロセッサ２４は、図示しないスピーカから着信音（着信メロディ、着信音声と言うこともある。）を出力させる。
【００３６】
そして、使用者が通話キーを用いて応答操作を行うと、無線通信回路１４は、プロセッサ２４の指示の下、電話着信処理を実行する。さらに、通信可能状態が確立され、プロセッサ２４は上述した通常の通話処理を実行する。
【００３７】
また、通話可能状態に移行した後に終話キーによって通話終了操作が行われると、プロセッサ２４は、無線通信回路１４を制御して、通話相手に通話終了信号を送信する。そして、通話終了信号の送信後、プロセッサ２４は通話処理を終了する。また、先に通話相手から通話終了信号を受信した場合も、プロセッサ２４は通話処理を終了する。さらに、通話相手によらず、移動通信網から通話終了信号を受信した場合も、プロセッサ２４は通話処理を終了する。
【００３８】
また、携帯電話機１０には、使用者がファイルを表示・操作できるように、ファイルマネージャがインストールされている。たとえば、フラッシュメモリ３２に保存されている画像ファイルを、ＲＡＭ３４に移動させる場合、使用者はファイルマネージャによって表示された画像ファイルのアイコンを見ながら、ＲＡＭ３４に移動させる操作を行う。
【００３９】
さらに、携帯電話機１０には、メールを送受信するために、メーラがインストールされている。たとえば、携帯電話機１０に対する新着メールがメールサーバ１０２に蓄積されると、メールサーバ１０２から携帯電話機１０に新着メールの通知信号が送信される。携帯電話機１０は、通知信号を受信すると、メールサーバ１０２とのデータ通信を、ネットワーク１００を介して確立し、新着メールを受信する。一方、携帯電話機１０からメールを送信する操作が行われると、メールサーバ１０２とのデータ通信が確立された後に、そのメールがメールサーバ１０２に送信される。その後、メールサーバ１０２から相手の端末に対してメールが送信される。そして、使用者は、メーラを利用して送受信したメールを確認することができる。
【００４０】
ここで、本実施例の携帯電話機１０のファイル・システムは、「隠し属性」を利用することができる。たとえば、隠し属性が設定されたファイルは、ファイルマネージャがそのファイルを表示できなくなる。つまり、使用者は、隠し属性が設定されたファイルを認識することができない。なお、この隠し属性は、「ＦＡＴ１６」、「ＰＯＳＩＸ．１」および「Ｊａｖａ」などの様々なファイル・システムにおいて広く一般的に利用されているため、詳細な説明は省略する。
【００４１】
図２は受信したメールをＲＡＭ３４に保存するときの流れを示す図解図である。図２を参照して、ファイルが添付されたメールをメールサーバ１０２から受信した場合、その受信データがＲＡＭ３４のバッファに格納される。このとき、発信元のメールアドレスが後述する秘匿アドレスのメールアドレスと一致しなければ、受信データから読み出された通常メールデータは、通常メールフォルダに保存される。また、メールに添付されたファイルは、受信データをデコードすることで取得され、その後データフォルダに保存される。そして、通常メールデータと添付ファイルとは別々に保存されるため、通常メール管理データには、通常メールと添付ファイルとを関連付ける「リンク」が記録される。なお、リンクについては後述するため、ここでの詳細な説明は省略する。
【００４２】
図３は、添付ファイルの構成の一例を示す図解図である。図３を参照して、添付ファイルは、テキストデータおよびメタデータを含む。テキストデータは、数字や、名前、電話番号などの文字列などを含む。また、メタデータは、テキストデータのデータ名および作成日などのメタ情報を含むと共に、属性フラグの設定も含む。この属性フラグは、上述した隠し属性が設定されているかを示すフラグである。なお、属性フラグは初期状態ではオフ（０）にされているが、所定の処理が行われるとオン（１）にされる。
【００４３】
たとえば、図３に示される添付ファイルは、「２０１１年３月１日」に、「名簿.txt」と言うデータ名で作成された、「テキストファイル」であることが分かる。そして、この添付ファイルには隠し属性が設定されているため、ファイルマネージャは、この添付ファイルを表示することができない。
【００４４】
図４はアドレス帳データのデータ構成の一例を示す図解図である。アドレス帳データは、通常アドレスデータおよび秘匿アドレスデータを含んでおり、図４では各行が１つのアドレスデータを示す。また、アドレスデータは、氏名およびメールアドレスなどを含むともに、秘匿メールアドレスかを示す秘匿フラグも含まれる。そして、秘匿フラグがオン（１）にされている場合、そのアドレスデータは秘匿アドレスデータとして扱われる。一方、秘匿フラグがオフ（０）にされている場合、そのアドレスデータは通常アドレスデータとして扱われる。
【００４５】
ここで、秘匿アドレスデータとして登録されている人物からメールが送信された場合、そのメールは秘匿メールとして保存される。また、そのメールに添付ファイルが含まれていれば、添付ファイルに隠し属性を設定して、その添付ファイルを秘匿の状態にする。
【００４６】
具体的には、図４および図５を参照して、秘匿アドレスとして登録されている「ＸＸＸ」が発信したメールをメールサーバ１０２から受信した場合、受信データにおいて、メールデータは秘匿メールフォルダに保存される。また、添付ファイルは、メタデータの属性フラグがオンに設定される。そして、隠し属性が設定された添付ファイルは、隠し属性が設定されていない他のファイルと同じようにデータフォルダに保存され、秘匿メール管理データにリンクが記録される。
【００４７】
図６は上記した秘匿メール管理データの構成の一例を示す図解図である。図６を参照して、秘匿メール管理データには、秘匿メールの題名やヘッダなどが記録される。また、受信時に添付ファイルが含まれていた場合は、別々に保存された添付ファイルとのリンクとしてアドレスパスが記録される。さらに、対象となる秘匿メールの既読／未読を判断するための既読フラグの状態も記録される。また、「既読」とは、対応する秘匿メールの内容が表示された状態のことを言う。そのため、未読フラグは初期状態でオフ（０）が設定されている。また、秘匿メールが表示された後、その表示が消去されると、秘匿フラグはオン（１）にされる。
【００４８】
たとえば、図５に示す秘匿メールの題名が「データ送付」であり、添付ファイルが保存されたデータフォルダのアドレスパスが「０ｘ００００ＡＡＡＡ」であれば、秘匿メール管理データには、「題名」の列に「データ送付」が記録される。また、「データ送付」が記録された題名の欄に対応して、リンクの列には「０ｘ００００ＡＡＡＡ」が記録される。さらに、上記秘匿メールが未読の状態であれば、既読の欄には既読フラグがオフであることを示す「０」が記録される。
【００４９】
なお、通常メール管理データは、構成が秘匿メール管理データと略同じであるため、詳細な説明は省略する。
【００５０】
図７（Ａ）は通常メールを受信した後の待機画面であり、図７（Ｂ）は秘匿メールを受信した後の待機画面である。まず、ディスプレイ３０の表示は、日時、電池残量および受信状態などを表すアイコンを含む状態表示領域６０および待機状態を示す壁紙画像を表示する機能表示領域６２から構成される。また、通常メールを受信した直後は、通常メールが未読の状態（既読フラグがオフ）であるため、状態表示領域６０には新着メールアイコン６４が表示されると共に、機能表示領域６２には新着メールキーが表示される。
【００５１】
この状態で、新着メールキーに対応するハードキーが操作されると、通常メールフォルダに保存されているメールデータと対応するメールアイコンが、図８に示すように表示される。そして、メールアイコンがカーソルＣによって選択された状態で確定操作がされると、そのメールアイコンに対応する通常メールの内容がディスプレイ３０に表示される。また、未読の通常メール対応するメールアイコンが選択された場合、その通常メールに対応する既読フラグがオンにされる。なお、新着メールキーではなく、メール機能を実行するアプリケーションキーが操作された場合でも、図８に示すＧＵＩが表示される。
【００５２】
図７（Ｂ）を参照して、秘匿メールが未読の場合、状態表示領域６０および機能表示領域６２には、新着メールアイコン６４および新着メールキーは表示されない。つまり、秘匿メールは受信したことが通知されない。また、この状態でメール機能を実行するアプリケーションキーが長押しされれば、図９（Ａ）に示すように、パスワードを入力するためのＧＵＩが待機画面上に表示される。入力されたパスワードが正しければ、図９（Ｂ）に示すように、秘匿メールフォルダに保存されている秘匿メールに対応して、メールアイコンがディスプレイ３０に表示される。なお、図９（Ｂ）に示す状態では、新着メールアイコン６４が状態表示領域６０に表示される。
【００５３】
図１０（Ａ）を参照して、秘匿メールに対応するメールアイコンがカーソルＣによって選択された状態で確定操作が行われると、秘匿メールの内容が表示される。機能表示領域６２には、送信者表示部７０、題名表示部７２、添付ファイル表示部７４および本文表示部７６が表示される。さらに、機能表示領域６２の下側には、キー入力装置２６のハードキーに対応して、返信メールを作成するための返信キー７８、カーソルＣによる選択を確定するための確定キー８０およびメニューを表示するためのメニューキー８２も表示される。
【００５４】
また、送信者表示部７０、題名表示部７２および添付ファイル表示部７４はカーソルＣによって選択することができ、確定キー８０が操作されると選択された表示部に対応してＧＵＩが変化する。
【００５５】
たとえば、送信者表示部７０がカーソルＣに選択された状態で確定キー８０が操作されると、発信元（送信者）のメールアドレスがアドレスデータから読み出され、発信元のメールアドレスが表示される。また、題名表示部７２がカーソルＣに選択された状態で確定キー８０が操作されると、題名に利用されている文字列のコピーや、辞書検索などのメニューが表示される。そして、添付ファイル表示部７４がカーソルＣに選択された状態で確定キー８０が操作されると、添付ファイルの内容を表示する処理が実行される。
【００５６】
このとき、秘匿メールが最初に表示された状態、つまり既読フラグがオフの状態であれば、機能表示領域６２には、添付ファイルの属性を変更するかを確認する確認ＧＵＩが表示される。たとえば、図９（Ｂ）を参照して、確認ＧＵＩには、「添付ファイルの隠し属性を解除しますか？」の文章が書かれるとともに、隠し属性の解除を承諾する承諾キー９０および解除を拒絶する拒絶キー９２が設けられる。そして、承諾キー９０がカーソルＣによって選択された状態で、確定キー８０が操作されると、添付ファイルの隠し属性が解除される。一方、拒絶キー９２がカーソルＣによって選択された状態で、確定キー８０が操作されると、添付ファイルの隠し属性は解除されず、設定されたままになる。
【００５７】
そして、図示は省略するが、承諾キー９０および拒絶キー９２の選択にかかわらず、確定キー８０が操作されると、添付ファイルの内容がディスプレイ３０に表示される。たとえば、ここでは添付ファイルである「名簿.txt」の内容がディスプレイ３０に表示される。
【００５８】
このように、秘匿メールの最初の表示に合わせて、添付ファイルの隠し属性を任意に解除できるようにすることで、使用者の利便性を向上させることができる。
【００５９】
また、秘匿メールが２回目以降に確認された状態、つまり既読フラグがオンの状態であれば、添付ファイル表示部７４がカーソルＣに選択された状態で確定キー８０が操作されても確認ＧＵＩは表示されない。ただし、添付ファイルの属性を変更する場合は、図１０（Ａ）の状態でメニューキー８２を操作すればよい。具体的には、この状態でメニューキー８２が操作されると、上記確認ＧＵＩを表示させるための選択メニューが表示される。そして、選択メニューで所定の操作を行うと図１０（Ｂ）に示す確認ＧＵＩがディスプレイ３０に表示される。
【００６０】
また、秘匿メールが最初に表示された状態でも、上述した操作によって、添付ファイルの属性が変更されてもよい。つまり、使用者は、添付ファイル表示部７４をカーソルＣで選択した状態で確定キー８０を操作する前に、添付ファイルの隠し属性を解除することもできる。
【００６１】
ここで、添付ファイルの隠し属性が解除された場合、ファイルマネージャによるファイルフォルダの表示は図１１（Ａ），（Ｂ）に示すように変化する。まず、図１１（Ａ），（Ｂ）を参照して、ファイルフォルダに保存されているデータに対応するアイコンが、一覧的に表示されている。次に、図１１（Ａ）に着目して、たとえば、添付ファイルに隠し属性が解除されなかった場合、秘匿メールの添付ファイル（名簿.txt）に対応するアイコンは表示されない。一方、図１１（Ｂ）に着目して、添付ファイルの隠し属性が解除された場合、秘匿メールの添付ファイル（名簿.txt）が表示されるようになる。
【００６２】
そして、表示されているアイコンがカーソルＣによって選択された後に、確定操作が行われると、対応するデータがディスプレイ３０に表示される。また、削除操作が行われると、対応するデータが削除される。さらに、移動操作が行われると、他のフォルダまたはフラッシュメモリ３２に対応するデータを移動させる。このように、添付ファイルの隠し属性が解除された場合、他のファイルと同じように、秘匿メールの添付ファイルを表示・操作することができるようになる。
【００６３】
以上の説明から分かるように、添付ファイルの秘匿性は、ファイル・システムが備える隠し属性を利用することで実現することができる。したがって、任意にアプリケーションを追加することができるオープンプラットフォームの携帯電話機１０において、アプリケーションの組み合わせが制約されなくなる。よって、使用者は、携帯電話機１０にインストールするアプリケーション群を任意に構成しても、その通信端末で秘匿メールを利用することができる。特に、上記の効果は、いわゆるスマートフォンで、仕事で利用するファイルなどを利用するときに、大いに発揮される。
【００６４】
また、ファイル・システムが備える隠し属性を利用しているだけなので、添付ファイルを保存した後に特別な管理をする必要が無い。そのため、ファイルマネージャの処理を単純にすることができる。
【００６５】
さらに、本実施例では、秘匿メールに添付されたファイルを使用者が確認する前に、第三者がメール確認以外の手段（ファイルマネージャによって表示する手段）で確認できてしまうという、秘匿の不完全さも排除することができる。
【００６６】
なお、添付ファイルが音楽ファイルの場合には、音楽プレイヤ機能が実行され、音楽が図示しないスピーカから出力される。さらに、添付ファイルが画像ファイルの場合、画像がディスプレイ３０に表示される。
【００６７】
図１２は、ＲＡＭ３４のメモリマップを示す図である。ＲＡＭ３４のメモリマップには、プログラム記憶領域３０２およびデータ記憶領域３０４が含まれる。また、プログラムおよびデータの一部は、フラッシュメモリ３２から一度に全部または必要に応じて部分的かつ順次的に読み出され、ＲＡＭ３４に記憶されてからプロセッサ２４によって処理される。
【００６８】
プログラム記憶領域３０２には、携帯電話機１０を動作させるためのプログラムが記憶されている。たとえば、携帯電話機１０を動作させるためのプログラムは、メール保存プログラム３１０、メール表示プログラム３１２および一覧表示プログラム３１４などを含む。
【００６９】
メール保存プログラム３１０は、メールサーバ１０２から受信したメールを通常メールまたは秘匿メールとして保存するためのプログラムである。メール表示プログラム３１２は、保存された通常メールまたは秘匿メールの内容をディスプレイ３０に表示するためのプログラムである。一覧表示プログラム３１４は、添付ファイルなどが保存されるファイルフォルダの内容を、一覧ＧＵＩを用いて表示するためのプログラムである。なお、メール保存プログラム３１０およびメール表示プログラム３１２は、メールの送受信を管理するアプリケーション（メーラ）プログラムの一部としてＲＡＭ３４に記憶されている。
【００７０】
なお、図示は省略するが、携帯電話機１０を動作させるためのプログラムには、ファイルマネージャのプログラムや、ネットワーク１００を介して外部機器（メールサーバなど）との通信を確立するためのプログラムなどが含まれる。
【００７１】
続いて、データ記憶領域３０４には、受信バッファ３３０、一覧バッファ３３２などが設けられると共に、アドレス帳データ３３４、メールフォルダデータ３３６およびファイルフォルダデータ３３８が記憶される。
【００７２】
受信バッファ３３０には、たとえばメールサーバ１０２から受信したメールのデータが一時的に記憶される。一覧バッファ３３２には、一覧ＧＵＩを表示する際に、表示するアイコンの一覧テーブルが一時的に記憶される。アドレス帳データ３３４は、たとえば図４に示す、複数のアドレスデータを含む。
【００７３】
メールフォルダデータ３３６は、通常メール管理データ３３６ａ、通常メールフォルダデータ３３６ｂ、秘匿メール管理データ３３６ｃおよび秘匿メールフォルダデータ３３６ｄなどを含み、メーラが実行されると読み出される。通常メール管理データ３３６ａおよび秘匿メール管理データ３３６ｃは、図６に示すように構成されており、メールフォルダに保存されている通常メールおよび秘匿メールを表示したりするために利用される。通常メールフォルダデータ３３６ｂは通常メールとして保存されたメールデータを含み、秘匿メールフォルダデータ３３６ｄは秘匿メールとして保存されたメールデータを含む。
【００７４】
ファイルフォルダデータ３３８は、ファイルフォルダに保存されている添付ファイルデータ３３６ａなどを含む。添付ファイルデータ３３６ａは、受信したメールの添付ファイルが保存されたものである。そのため、添付ファイルデータ３３６ａには、テキストファイル、音楽ファイルおよび画像ファイルなどが含まれることがある。
【００７５】
なお、図示は省略するが、データ記憶領域３０４には、待機状態で表示される画像データや、文字列のデータなどが記憶されると共に、携帯電話機１０の動作に必要なカウンタや、フラグも設けられる。
【００７６】
プロセッサ２４は、Ａｎｄｒｏｉｄ（登録商標）およびＲＥＸなどのＬｉｎｕｘ（登録商標）ベースのＯＳや、その他のＯＳの制御下で、図１３に示すメール保存処理、図１４に示すメール表示処理および図１５に示す一覧表示処理などを含む複数のタスクを並列的に処理する。
【００７７】
図１３はメール保存処理のフロー図である。たとえば、メールサーバ１０２から新着メールの通知があると、プロセッサ２４はステップＳ１でメール受信処理を実行する。つまり、メールサーバ１０２からメールのデータを受信する。このとき、受信したデータは、受信バッファ３３０に格納される。続いて、ステップＳ３では、秘匿メールか否かを判断する。たとえば、受信バッファに保存されている発信元のメールアドレスとアドレス帳データ３３４とに基づいて、メールの発信者が秘匿アドレスとして登録されているか否かを判断する。なお、ステップＳ３の処理を実行するプロセッサ２４は判断部として機能する。
【００７８】
ステップＳ３で“ＹＥＳ”であれば、つまり受信したメールが秘匿メールと判断できれば、ステップＳ５で秘匿メールを保存する。つまり、受信バッファ３３０からメールデータを読み出し、秘匿メールフォルダ３３６ｄに含まれる秘匿メールデータとして保存する。なお、ステップＳ５の処理を実行するプロセッサ２４は秘匿メール保存部として機能する。続いて、ステップＳ７では、ファイルが添付されているか否かを判断する。たとえば、ＭＩＭＥ（Ｍｕｌｔｉｐｕｒｐｏｓｅ  Ｉｎｔｅｒｎｅｔ  Ｍａｉｌ  Ｅｘｔｅｎｓｉｏｎ）によってエンコードされたファイルが添付されているか否かを判断する。ステップＳ７で“ＮＯ”であれば、つまり秘匿メールにファイルが添付されていなければ、メール保存処理を終了する。
【００７９】
また、ステップＳ７で“ＹＥＳ”であれば、つまり秘匿メールにファイルが添付されていれば、ステップＳ９で添付ファイルに隠し属性を設定する。つまり、受信バッファ３３０に格納された受信データをデコードして添付ファイルを取得して、その添付ファイルに含まれるメタデータにおいて、属性フラグをオン（１）に設定する。なお、ステップＳ９の処理を実行するプロセッサ２４は設定部として機能する。続いて、ステップＳ１１では、添付ファイルを保存する。つまり、隠し属性が設定された添付ファイルを、ファイルフォルダデータ３３８に含まれる添付ファイルデータ３３８ａとして保存する。なお、ステップＳ１１の処理を実行するプロセッサ２４は第１ファイル保存部として機能する。続いて、ステップＳ１３では、秘匿メール管理データ３３６ｃに添付ファイルのリンクを記録する。たとえば、図６に示すように、メールの題名に対応させて、添付ファイルデータ３３８ａの保存先を示すアドレスパス（たとえば、０ｘ００００ＡＡＡＡ）がリンクとして記録される。そして、ステップＳ１３の処理が終了すれば、メール保存処理が終了する。
【００８０】
なお、他の実施例では、添付ファイルを保存するアドレスパスを予め決めておき、ステップＳ７で“ＹＥＳ”と判断されれば、最初にステップＳ１３を実行して添付ファイルのリンクを記録してもよい。この場合、ステップＳ１３の処理の後、ステップＳ９，Ｓ１１の処理が実行される。
【００８１】
また、ステップＳ３で“ＮＯ”であれば、つまり受信したメールが通常メールと判断されれば、ステップＳ１５で通常メールを保存する。つまり、受信バッファ３３０からメールデータが読み出され、通常メールフォルダデータ３３６ｂに含まれる通常メールデータとして保存される。なお、ステップＳ１５の処理を実行するプロセッサ２４は通常メール保存部として機能する。続いて、ステップＳ１７でファイルが添付されているか否かを、ステップＳ７と同様に判断する。ステップＳ７で“ＮＯ”であれば、つまりメールにファイルが添付されていなければ、ステップＳ２３に進む。一方、ステップＳ７で“ＹＥＳ”であれば、つまりメールにファイルが添付されていれば、ステップＳ１９で添付ファイルを保存し、ステップＳ２１で通常メール管理データ３３６ａに添付ファイルのリンクを記録する。つまり、通常メールの場合、添付ファイルには隠し属性が設定されることなく、添付ファイルデータ３３８ａとして保存される。そして、ステップＳ１３と同様、通常メール管理データ３３６ａにはステップＳ１９で保存された添付ファイルのアドレスパスがリンクとして記録される。なお、ステップＳ１９の処理を実行するプロセッサ２４は第２ファイル保存部として機能する。
【００８２】
続いて、ステップＳ２３では、受信通知処理を実行する。つまり、着信音を図示しないスピーカから出力すると共に、ディスプレイ３０に新着メールアイコン６４および新着メールキーを表示する。このように、通常メールを受信した場合は、その受信が使用者に通知される。なお、ステップＳ２３の処理が終了すれば、メール保存処理は終了される。なお、ステップＳ２３の処理を実行するプロセッサ２４は受信通知部として機能する。
【００８３】
図１４はメール表示処理のフロー図である。たとえば、メール機能を実行するアプリケーションキーが操作されると、プロセッサ２４は、ステップＳ４１で秘匿メールの表示操作がされたか否かを判断する。たとえば、上述したように、メール機能を実行するアプリケーションキーが長押しされたか否かが判断される。なお、ステップＳ４１の処理を実行するプロセッサ２４は表示判断部として機能する。
【００８４】
ステップＳ４１で“ＮＯ”であれば、つまり、上記アプリケーションキーが短押しされていれば、ステップＳ６１に進む。また、ステップＳ４１で“ＹＥＳ”であれば、つまり上記アプリケーションキーが長押しされていれば、ステップＳ４３で秘匿メールの一覧を表示する。つまり、図９（Ｂ）に示すように、秘匿メールフォルダデータ３３６ｄに含まれる秘匿メールデータに対応するアイコンが表示される。続いて、ステップＳ４５では、選択処理を実行する。つまり、選択処理が実行されると、秘匿メールに対応するアイコンをカーソルＣの移動が制御されたり、カーソルＣによる選択が確定されたりする。続いて、ステップＳ４７では、選択が確定された秘匿メールを表示する。たとえば、図１０（Ａ）に示すように、確定操作が行われたときにカーソルＣによって選択されたアイコンに対応する秘匿メールが、ディスプレイ３０に表示される。なお、ステップＳ４３−Ｓ４７の処理を実行するプロセッサ２４は秘匿メール表示部として機能する。
【００８５】
続いて、ステップＳ４９では、リンクが有るか否かを判断する。つまり、秘匿メール管理データ３３６に基づいて、表示されている秘匿メールに添付ファイルのリンクが記録されているかを判断する。ステップＳ４９で“ＮＯ”であれば、つまり添付ファイルのリンクが無ければ、メール表示処理は終了する。また、ステップＳ４９で“ＹＥＳ”であれば、つまり添付ファイルのリンクが有れば、ステップＳ５１で添付ファイルの表示操作がされたか否かを判断する。つまり、添付ファイル表示部７４がカーソルＣで選択された状態で、確定キー８０が操作されたか否かを判断する。ステップＳ５１で“ＮＯ”であれば、つまり添付ファイルの表示操作がされていなければ、ステップＳ５１の処理が繰り返される。
【００８６】
ステップＳ５１で“ＹＥＳ”であれば、つまり添付ファイルの表示操作がされれば、ステップＳ５３で既読か否かを判断する。つまり、表示されている秘匿メールの既読フラグがオンであるか否かを判断する。ステップＳ５３で“ＹＥＳ”であれば、つまり秘匿メール管理データ３３６ｃにおいて既読フラグがオンであれば、ステップＳ５９に進む。
【００８７】
また、ステップＳ５３で“ＮＯ”であれば、つまり秘匿メールが表示されるのが１回目であれば、ステップＳ５５で属性を変更するか否かを判断する。つまり、ステップＳ５５の処理が実行されると、ディスプレイ３０には図１０（Ｂ）に示す確認ＧＵＩが表示される。そして、その確認ＧＵＩにおいて承諾キー９０がカーソルＣによって選択された状態で、確定キー８０が操作されたか否かを判断する。ステップＳ５５で“ＮＯ”であれば、たとえば、図１０（Ｂ）に示す確認ＧＵＩにおいて拒絶キー９２がカーソルＣによって選択された状態で確定キー８０が操作されると、ステップＳ５９に進む。一方、ステップＳ５５で“ＹＥＳ”であれば、たとえば上記承諾キー９０がカーソルＣによって選択された状態で確定キー８０が操作されると、ステップＳ５７で添付ファイルの隠し属性を解除する。つまり、添付ファイルに含まれるメタデータにおいて、属性フラグをオフ（０）にする。なお、ステップＳ５７の処理を実行するプロセッサ２４は解除部として機能する。続いて、ステップＳ５９では、添付ファイルの内容を表示する。たとえば、図１０（Ａ）などに示すように、添付ファイルがテキストファイル（名簿.txt）であれば、テキストファイルに含まれる文字列がディスプレイ３０に表示される。そして、ステップＳ５９の処理が終了すれば、メール表示処理を終了する。
【００８８】
また、ステップＳ４１で“ＮＯ”であれば、つまりメール機能を実行するアプリケーションキーが短押しされていれば、ステップＳ６１で通常メールの一覧を表示する。たとえば、図８に示すように、通常メールフォルダデータ３３６ｂに含まれる通常メールデータのアイコンがディスプレイ３０に表示される。続いて、ステップＳ６３で選択処理を実行し、ステップＳ６５で選択が確定された通常メールを表示する。この２つのステップの処理はステップＳ４５，Ｓ４７と略同じであるため詳細な説明は省略するが、ディスプレイ３０には使用者によって選択された通常メールが表示される。なお、ステップＳ５９−Ｓ６３の処理を実行するプロセッサ２４は通常メール表示部として機能する。
【００８９】
続いて、ステップＳ６７では添付ファイルのリンクが有るか否かを判断し、ステップＳ６９では添付ファイルの表示操作がされたか否かを判断する。そして、ステップＳ７１では添付ファイルの内容を表示する。なお、これらの処理はステップＳ４９，Ｓ５１と略同じであるため、詳細な説明は省略する。そして、ステップＳ７１で添付ファイルの内容がディスプレイ３０に表示されると、メール表示処理は終了する。
【００９０】
図１５は一覧表示処理のフロー図である。たとえば、使用者がファイルフォルダデータ３３８の内容を確認する操作を行うと、プロセッサ２４はステップＳ８１で、隠し属性が設定されたファイルが有るか否かを判断する。たとえば、属性フラグがオン（１）にされているファイルが、ファイルフォルダデータ３３８に含まれているか否かを判断する。ステップＳ８１で“ＹＥＳ”であれば、たとえばファイルフォルダデータ３３８に隠し属性が設定された添付ファイルデータ３３８ａが含まれていれば、ステップＳ８３で、隠し属性が設定されたファイルを除いて一覧テーブルを作成する。たとえば、隠し属性が設定されている添付ファイルを除いて、ディスプレイ３０にアイコンが表示されるように一覧テーブルが作成される。一方、ステップＳ８１で“ＮＯ”であれば、つまり隠し属性が設定されたファイルが無ければ、ステップＳ８５で全てのファイルの一覧テーブルを作成する。たとえば、ファイルフォルダデータ３３８に含まれる全てのファイルが表示されるように、一覧テーブルが作成される。なお、ステップＳ８３，Ｓ８５で作成された一覧テーブルは一覧バッファ３３２に格納される。
【００９１】
続いて、ステップＳ８７では、作成された一覧テーブルに基づいて一覧ＧＵＩを表示する。たとえば、ステップＳ８３で作成された一覧テーブルに基づいて一覧ＧＵＩが表示されると、図１１（Ａ）に示すように添付ファイルに対応するアイコンが表示される。一方、ステップＳ８５で作成された一覧テーブルに元ついてＧＵＩが表示されると、図１１（Ｂ）に示すように添付ファイルに対応するアイコンも表示される。
【００９２】
また、ステップＳ８３，Ｓ８７の処理を実行するプロセッサ２４は第１ファイル表示部として機能する。また、ステップＳ８５，Ｓ８７の処理を実行するプロセッサ２４は第２ファイル表示部として機能する。
【００９３】
なお、他の実施例では、添付ファイルの隠し属性が解除されると共に、パスワードが設定されたフォルダに移動されてもよい。また、その他の実施例では、添付ファイルの隠し属性を解除する代わりに、添付ファイルが削除されてもよい。
【００９４】
また、その他の実施例では、添付ファイルの内容を確認する操作がされれば、添付ファイルの隠し属性が解除されるように、初期設定されていてもよい。つまり、このような初期設定がされている場合、秘匿メールが最初に表示された状態で添付ファイルの内容を表示する操作がされると、図１０（Ｂ）に示す確認ＧＵＩがディスプレイ３０に表示されずに、添付ファイルの内容が表示される。
【００９５】
また、さらにその他の実施例では、添付ファイルデータ３３８ａには、アドレスパスに代えてファイル・システムのｉノードや、ファイルパス名などがリンクとして記録されてもよい。さらに、受信した添付ファイルに論理ＩＤ（管理番号）を付与するようにした場合は、添付ファイルデータ３３８ａには、アドレスパスに代えて論理ＩＤが記録されてもよい。
【００９６】
また、携帯電話機１０の通信方式はＣＤＭＡ方式であるが、ＬＴＥ（Ｌｏｎｇ  Ｔｅｒｍ  Ｅｖｏｌｕｔｉｏｎ）方式、Ｗ−ＣＤＭＡ方式、ＧＳＭ方式、ＴＤＭＡ方式、ＦＤＭＡ方式およびＰＨＳ方式などが採用されてもよい。
【００９７】
また、本実施例で用いられた複数のプログラムは、データ配信用のサーバのＨＤＤに記憶され、ネットワークを介して携帯電話機１０に配信されてもよい。また、ＣＤ，ＤＶＤ，ＢＤ（Ｂｌｕ−ｒａｙ  Ｄｉｓｃ）などの光学ディスク、ＵＳＢメモリおよびメモリカードなどの記憶媒体に複数のプログラムを記憶させた状態で、その記憶媒体が販売または配布されてもよい。そして、上記したサーバや記憶媒体などを通じてダウンロードされた、複数のプログラムが本実施例と同等の構成の携帯電話機にインストールされた場合、本実施例と同等の効果が得られる。
【００９８】
さらに、本実施例は、携帯電話機１０のみに限らず、いわゆるスマートフォンおよびＰＤＡ（Ｐｅｒｓｏｎａｌ  Ｄｉｇｉｔａｌ  Ａｓｓｉｓｔａｎｔ）に適用されてもよい。
【００９９】
そして、本明細書中で挙げた、アドレスパスなどの具体的な数値は、いずれも単なる一例であり、製品の仕様などの必要に応じて適宜変更可能である。
【符号の説明】
【０１００】
１０    …  携帯電話機
２４    …  プロセッサ
２６    …  キー入力装置
３２    …  フラッシュメモリ
３４    …  ＲＡＭ
１００    …  ネットワーク
１０２    …  メールサーバ
【図１】
2012226417.tif 000003
【図２】
2012226417.tif 000004
【図３】
2012226417.tif 000005
【図４】
2012226417.tif 000006
【図５】
2012226417.tif 000007
【図６】
2012226417.tif 000008
【図７】
2012226417.tif 000009
【図８】
2012226417.tif 000010
【図９】
2012226417.tif 000011
【図１０】
2012226417.tif 000012
【図１１】
2012226417.tif 000013
【図１２】
2012226417.tif 000014
【図１３】
2012226417.tif 000015
【図１４】
2012226417.tif 000016
【図１５】
2012226417.tif 000017